【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
タイル状エレクトロクロミック（ＥＣ）デバイスであって、
キャリアガラスと、
前記キャリアガラスに積層され、第１のアクティブ領域、第１のクリア状態、及び第１の暗状態を含む第１のＥＣデバイスと、
前記キャリアガラスに積層され、第２のアクティブ領域、第２のクリア状態、及び第２の暗状態を含む第２のＥＣデバイスと、
前記第１のアクティブ領域及び前記第２のアクティブ領域を含む第３のアクティブ領域と、
前記第１のＥＣデバイスと前記第２のＥＣデバイスとの間の継ぎ目と、を備え、
前記キャリアガラスは、２ｍ2より大きい面積を有し、
前記第１及び第２のクリア状態は、透過状態での７０から９５のＬ*、透過状態での−８から８のｂ*、及び透過状態での−４から４のａ*であるＣＩＥ−Ｌａｂを含み、
前記第３のアクティブ領域は、第３のクリア状態、及び第３の暗状態、及び前記第３のクリア状態と前記第３の暗状態との間の複数の着色状態を含み、
前記複数の着色状態は、０．１％から８０％のＴｖｉｓを含む着色の連続体に沿っており、
透過状態での前記タイル状ＥＣデバイスの前記第３のアクティブ領域内の任意の２点間のΔＥは、前記タイル状ＥＣデバイスの全横寸法に亘って、前記第３のクリア状態、前記第３の暗状態、及び前記複数の着色状態のすべての着色状態において１０より小さい、タイル状ＥＣデバイス。
【請求項２】
前記第１及び第２のクリア状態は、７０％から８０％のＴｖｉｓをさらに含む、請求項１に記載のタイル状ＥＣデバイス。
【請求項３】
前記第１及び第２の暗状態は、透過状態での０から３０のＬ*、透過状態での−５から−２のｂ*、及び透過状態での−７から−５のａ*であるＣＩＥ−Ｌａｂと、０．０１％から５％のＴｖｉｓとを含む、請求項１に記載のタイル状ＥＣデバイス。
【請求項４】
前記継ぎ目は継ぎ目領域を含み、前記第１又は第２のＥＣデバイスが、それぞれ、前記第１又は第２のクリア状態にあるとき、またはそれぞれ、前記第１又は第２の暗状態にあるとき、前記継ぎ目領域内の任意の点と前記第１及び第２の前記アクティブ領域内の任意の点との間のΔＥは１０より小さい、請求項１に記載のタイル状ＥＣデバイス。
【請求項５】
前記継ぎ目を覆い隠すカバーを更に備え、前記第１又は第２のＥＣデバイスが、それぞれ、前記第１又は第２の暗状態にあるときに、前記カバー内の任意の点と、前記第１又は第２の前記アクティブ領域内の任意の点との間のΔＥが１０より小さい、請求項１に記載のタイル状ＥＣデバイス。
【請求項６】
前記継ぎ目の幅は、０．０５ｃｍより小さい、請求項１に記載のタイル状ＥＣデバイス。
【請求項７】
前記第１のＥＣデバイス内のバスバーの第１のセットと、
前記第２のＥＣデバイス内のバスバーの第２のセットと、を更に備え、
前記バスバーの第１及び第２のセットが、前記継ぎ目にわたって互いに整列しており、前記第１及び第２のＥＣデバイス内の前記バスバーのうちの少なくとも１つは、前記タイル状ＥＣデバイスの周縁部に位置する、請求項１に記載のタイル状ＥＣデバイス。
【請求項８】
前記第１のＥＣデバイス内の第１の隔離端子と、
前記第２のＥＣデバイス内の第２の隔離端子と、
前記第１のＥＣデバイス内の第１の検知電圧端子と、
前記第２のＥＣデバイス内の第２の検知電圧端子と、をさらに備える、請求項１に記載のタイル状ＥＣデバイス。
【請求項９】
前記第１のＥＣデバイス内のバスバーの第１のセットと、
前記第２のＥＣデバイス内のバスバーの第２のセットと、
前記第１のＥＣデバイスと前記第２のＥＣデバイスとの間で、バスバーの前記第１及び第２のセット、第１及び第２の検知電圧端子、及び第１及び第２の隔離端子を接続する１つ以上の回路基板を備える前記第１及び第２のＥＣデバイス間の電気接続部と、をさらに備える、請求項８に記載のタイル状ＥＣデバイス。
【請求項１０】
前記第１のＥＣデバイス内の上側基板及び下側基板と、
前記第２のＥＣデバイス内の上側基板及び下側基板と、をさらに備え、
前記第１のＥＣデバイス内の上側基板は、前記第１のＥＣデバイスの縁部の少なくとも一部に沿って前記第１のＥＣデバイス内の下側基板から側方の方向にオフセットされており、
前記第１のＥＣデバイスの下側基板上にある第１のバスバー、第１の検知電圧端子、及び第１の隔離端子は、前記第１のＥＣデバイスの上側基板が前記第１のＥＣデバイス内の下側基板から側方の方向にオフセットされていることにより、露出している、請求項９に記載のタイル状ＥＣデバイス。
【請求項１１】
前記第１のＥＣデバイス内の１つ以上の第１の勾配型導電層と、
前記第２のＥＣデバイス内の１つ以上の第２の勾配型導電層と、を更に備え、
前記第１のＥＣデバイス内の前記１つ以上の第１の勾配型導電層の勾配方向は、前記第２のＥＣデバイス内の第２の第２の勾配型透明導電層の勾配方向と平行である、請求項１に記載のタイル状ＥＣデバイス。
【請求項１２】
前記第１のＥＣデバイス内の第１の視覚的に知覚可能なパターンと、
前記第２のＥＣデバイス内の第２の視覚的に知覚可能なパターンと、を更に備え、
前記第１及び第２のＥＣデバイス内の前記第１及び第２の視覚的に知覚可能なパターンは、それぞれ、前記第１のＥＣデバイスと第２のＥＣデバイスとの間の継ぎ目にわたって互いに整列している、請求項１１に記載のタイル状ＥＣデバイス。
【請求項１３】
タイル状エレクトロクロミック（ＥＣ）デバイスであって、
キャリアガラスと、
前記キャリアガラスに積層され、第１のアクティブ領域、第１のクリア状態、及び第１の暗状態を含む第１のＥＣデバイスと、
前記キャリアガラスに積層され、第２のアクティブ領域、第２のクリア状態、及び第２の暗状態を含む第２のＥＣデバイスと、
前記第１のＥＣデバイスと前記第２のＥＣデバイスとの間の継ぎ目と、を備え、
前記キャリアガラスは、２ｍ2より大きい面積を有し、
前記第１及び第２のクリア状態は、透過状態での７０から９５のＬ*、透過状態での−８から８のｂ*、及び透過状態での−４から４のａ*であるＣＩＥ−Ｌａｂを含み、
前記継ぎ目は継ぎ目領域を含み、前記第１又は第２のＥＣデバイスが、それぞれ、前記第１又は第２のクリア状態にあるとき、またはそれぞれ、前記第１又は第２の暗状態にあるとき、前記継ぎ目領域内の任意の点と前記第１及び第２の前記アクティブ領域内の任意の点との間のΔＥは１０より小さい、タイル状ＥＣデバイス。
【請求項１４】
前記第１及び第２のクリア状態は、７０％から８０％のＴｖｉｓをさらに含む、請求項１３に記載のタイル状ＥＣデバイス。
【請求項１５】
前記第１及び第２の暗状態は、透過状態での０から３０のＬ*、透過状態での−５から−２のｂ*、及び透過状態での−７から−５のａ*であるＣＩＥ−Ｌａｂと、０．０１％から５％のＴｖｉｓとを含む、、請求項１３に記載のタイル状ＥＣデバイス。
【請求項１６】
前記継ぎ目の幅は、０．０５ｃｍより小さい、請求項１３に記載のタイル状ＥＣデバイス。
【請求項１７】
前記第１のＥＣデバイス内のバスバーの第１のセットと、
前記第２のＥＣデバイス内のバスバーの第２のセットと、を更に備え、
前記バスバーの第１及び第２のセットが、前記継ぎ目にわたって互いに整列しており、前記第１及び第２のＥＣデバイス内の前記バスバーのうちの少なくとも１つは、前記タイル状ＥＣデバイスの周縁部に位置する、請求項１３に記載のタイル状ＥＣデバイス。
【請求項１８】
前記第１のＥＣデバイス内の１つ以上の第１の勾配型導電層と、
前記第２のＥＣデバイス内の１つ以上の第２の勾配型導電層と、を更に備え、
前記第１のＥＣデバイス内の前記１つ以上の第１の勾配型導電層の勾配方向は、前記第２のＥＣデバイス内の第２の第２の勾配型透明導電層の勾配方向と平行である、請求項１３に記載のタイル状ＥＣデバイス。
【請求項１９】
前記第１のＥＣデバイス内の第１の視覚的に知覚可能なパターンと、
前記第２のＥＣデバイス内の第２の視覚的に知覚可能なパターンと、を更に備え、
前記第１及び第２のＥＣデバイス内の前記第１及び第２の視覚的に知覚可能なパターンは、それぞれ、前記第１のＥＣデバイスと第２のＥＣデバイスとの間の継ぎ目にわたって互いに整列している、請求項１８に記載のタイル状ＥＣデバイス。